【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
画像入力装置において、
画像を入力する画像入力手段と、
無線通信装置を制御する無線基地局から送信され、前記無線基地局を識別するための識別情報を受信する識別情報受信手段と、
前記識別情報受信手段で受信する識別情報に対応させて位置情報を記憶する記憶手段と、
前記識別情報受信手段で受信した識別情報に基づいて、前記記憶手段に記憶した識別情報を選択し、前記画像入力手段で入力した画像データと、前記選択した位置情報とを関連させて記憶するように制御する制御手段を有することを特徴とする画像入力装置。
【請求項２】
請求項１において、
前記制御手段は、前記識別情報受信手段で前記識別情報を受信した際に、前記画像入力手段で入力している画像データに前記位置情報を付加することを特徴とする画像入力装置。
【請求項３】
請求項１において、
前記画像入力装置は、前記無線基地局を介して通信を行う通信手段を有することを特徴とする画像入力装置。
【請求項４】
請求項３において、
前記通信手段は、前記記憶したデータを前記無線基地局に送信することを特徴とする画像入力装置。
【請求項５】
請求項３において、
前記通信手段は、通話を行う通話手段を有することを特徴とする画像入力装置。
【請求項６】
請求項５において、
前記通話手段と前記画像入力手段は、独立して動作することを特徴とする画像入力装置。
【請求項７】
請求項５において、
前記通話手段は、着脱可能であることを特徴とする画像入力装置。
【請求項８】
請求項５において、
前記通信手段によるデータの送信と前記通話手段による通話は、任意に切り替えられることを特徴とする画像入力装置。
【請求項９】
請求項１において、
前記制御手段は、前記位置情報を前記画像データの属性情報として記憶するように制御することを特徴とする画像入力装置。
【請求項１０】
画像入力装置において、
画像を入力する画像入力手段と、
前記画像入力手段により入力された画像データを無線回線を介して送信するための第１の通信手段と、
無線回線を介して通話を行うための第２の通信手段と、
前記第１の通信手段による画像データの送信開始、もしくは、前記第２の通信手段による通話の開始を指示するの指示手段と、
前記第１あるいは前記第２の通信手段による通信中の前記指示手段による指示に応じて、前記第１の通信手段及び前記第２の通信手段による通信を切り替える切り替え手段を有することを特徴とする画像入力装置。
【請求項１１】
請求項１０において、
前記切り替え手段は、前記指示手段による指示に応じて、通信中の通信を停止し、他方の通信を開始することを特徴とする画像入力装置。
【請求項１２】
請求項１０において、
前記切り替え手段による通信切り替えの前と後で同じ相手と通信することを特徴とする画像入力装置。
【請求項１３】
画像入力装置において、
画像を入力する画像入力手段と、
無線通信装置を制御する無線基地局から送信され、前記無線基地局を識別するための識別情報を受信する識別情報受信手段と、
前記識別情報受信手段で受信した識別情報に関する情報と、画像とを関連させて記憶する記憶手段と、
前記記憶手段により記憶された前記画像データと前記識別情報に関する情報を読み出し、前記画像データと前記識別情報に関する情報とを関連つけて出力する出力手段と、を有することを特徴とする画像入力装置。
【請求項１４】
画像入力装置の制御方法において、
画像を入力させる画像入力工程と、
無線通信装置を制御する無線基地局から送信され、前記無線基地局を識別するための識別情報を受信する識別情報受信工程と、
前記識別情報受信工程において受信する識別情報に対応させて位置情報を記憶する記憶工程と、
前記識別情報受信工程において受信した識別情報に基づいて、前記記憶工程において記憶した識別情報を選択し、前記画像入力工程において入力した画像データと、前記選択した位置情報とを関連させて記憶するように制御する制御工程を有することを特徴とする画像入力装置の制御方法。
【請求項１５】
画像入力装置の制御方法において、
画像を入力させる画像入力工程と、
前記画像入力工程において入力された画像データを無線回線を介して送信するための第１の通信工程と、
無線回線を介して通話を行うための第２の通信工程と、
前記第１の通信工程における画像データの送信開始、もしくは、前記第２の通信工程における通話の開始を指示するの指示工程と、
前記第１あるいは前記第２の通信工程による通信中の前記指示工程での指示に応じて、前記第１の通信工程及び前記第２の通信工程による通信を切り替える切り替え工程を有することを特徴とする画像入力装置の制御方法。
【請求項１６】
画像入力装置の制御方法において、
画像を入力させる画像入力工程と、
無線通信装置を制御する無線基地局から送信され、前記無線基地局を識別するための識別情報を受信する識別情報受信工程と、
前記識別情報受信工程により受信した識別情報に関する情報と、画像とを関連させて記憶する記憶工程と、
前記記憶工程により記憶した前記画像データと前記識別情報に関する情報を読み出し、前記画像データと前記識別情報に関する情報とを関連つけて出力する出力工程と、を有することを特徴とする画像入力装置の制御方法。
【手続補正２】
【補正対象書類名】明細書
【補正対象項目名】０００１
【補正方法】変更
【補正の内容】
【０００１】
【発明の属する技術分野】
本発明は、パーソナル・ハンディ・ホン（ＰＨＳ）等の無線基地局からの信号を受信可能な画像入力装置及びその制御方法に関する。


【手続補正３】
【補正対象書類名】明細書
【補正対象項目名】０００９
【補正方法】変更
【補正の内容】
【０００９】
【課題を解決するための手段】
本発明は上記問題を解決するために、画像入力装置において、画像を入力する画像入力手段と、無線通信装置を制御する無線基地局から送信され、前記無線基地局を識別するための識別情報を受信する識別情報受信手段と、前記識別情報受信手段で受信する識別情報に対応させて位置情報を記憶する記憶手段と、前記識別情報受信手段で受信した識別情報に基づいて、前記記憶手段に記憶した識別情報を選択し、前記画像入力手段で入力した画像データと、前記選択した位置情報とを関連させて記憶するように制御する制御手段を有することを特徴とする画像入力装置を提供する。


【手続補正４】
【補正対象書類名】明細書
【補正対象項目名】００１０
【補正方法】変更
【補正の内容】
【００１０】
また、画像入力装置において、画像を入力する画像入力手段と、前記画像入力手段により入力された画像データを無線回線を介して送信するための第１の通信手段と、無線回線を介して通話を行うための第２の通信手段と、前記第１の通信手段による画像データの送信開始、もしくは、前記第２の通信手段による通話の開始を指示するの指示手段と、前記第１あるいは前記第２の通信手段による通信中の前記指示手段による指示に応じて、前記第１の通信手段及び前記第２の通信手段による通信を切り替える切り替え手段を有することを特徴とする画像入力装置を提供する。


【手続補正５】
【補正対象書類名】明細書
【補正対象項目名】００１１
【補正方法】変更
【補正の内容】
【００１１】
また、画像入力装置において、画像を入力する画像入力手段と、無線通信装置を制御する無線基地局から送信され、前記無線基地局を識別するための識別情報を受信する識別情報受信手段と、前記識別情報受信手段で受信した識別情報に関する情報と、画像とを関連させて記憶する記憶手段と、前記記憶手段により記憶された前記画像データと前記識別情報に関する情報を読み出し、前記画像データと前記識別情報に関する情報とを関連つけて出力する出力手段と、を有することを特徴とする画像入力装置を提供する。


【手続補正６】
【補正対象書類名】明細書
【補正対象項目名】００１２
【補正方法】変更
【補正の内容】
【００１２】
また、画像入力装置の制御方法において、画像を入力させる画像入力工程と、無線通信装置を制御する無線基地局から送信され、前記無線基地局を識別するための識別情報を受信する識別情報受信工程と、前記識別情報受信工程において受信する識別情報に対応させて位置情報を記憶する記憶工程と、前記識別情報受信工程において受信した識別情報に基づいて、前記記憶工程において記憶した識別情報を選択し、前記画像入力工程において入力した画像データと、前記選択した位置情報とを関連させて記憶するように制御する制御工程を有することを特徴とする画像入力装置の制御方法を提供する。


【手続補正７】
【補正対象書類名】明細書
【補正対象項目名】００１３
【補正方法】変更
【補正の内容】
【００１３】
また、画像入力装置の制御方法において、画像を入力させる画像入力工程と、前記画像入力工程において入力された画像データを無線回線を介して送信するための第１の通信工程と、無線回線を介して通話を行うための第２の通信工程と、前記第１の通信工程における画像データの送信開始、もしくは、前記第２の通信工程における通話の開始を指示するの指示工程と、前記第１あるいは前記第２の通信工程による通信中の前記指示工程での指示に応じて、前記第１の通信工程及び前記第２の通信工程による通信を切り替える切り替え工程を有することを特徴とする画像入力装置の制御方法を提供する。


【手続補正８】
【補正対象書類名】明細書
【補正対象項目名】００１４
【補正方法】変更
【補正の内容】
【００１４】
また、画像入力装置の制御方法において、画像を入力させる画像入力工程と、無線通信装置を制御する無線基地局から送信され、前記無線基地局を識別するための識別情報を受信する識別情報受信工程と、前記識別情報受信工程により受信した識別情報に関する情報と、画像とを関連させて記憶する記憶工程と、前記記憶工程により記憶した前記画像データと前記識別情報に関する情報を読み出し、前記画像データと前記識別情報に関する情報とを関連つけて出力する出力工程と、を有することを特徴とする画像入力装置の制御方法を提供する。


【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】０２２９
【補正方法】変更
【補正の内容】
【０２２９】
また、本発明によれば、無線基地局の識別情報に基づく情報を、画像と関連させて出力することができる。


【手続補正１４】
【補正対象書類名】明細書
【補正対象項目名】０２３０
【補正方法】削除
【補正の内容】
【手続補正１５】
【補正対象書類名】明細書
【補正対象項目名】０２３３
【補正方法】削除
【補正の内容】
【手続補正１６】
【補正対象書類名】明細書
【補正対象項目名】０２３４
【補正方法】削除
【補正の内容】
【手続補正１７】
【補正対象書類名】明細書
【補正対象項目名】０２３６
【補正方法】変更
【補正の内容】
【０２３６】
また、本発明によれば、１つの装置で通話と画像通信の両方を選択的に行うことができる。